(57)【要約】【課題】電流源の配列及び電気負荷の作動方法【解決手段】電流源（１）と電気負荷（３）の接続手段（２）とを備える少なくとも１つの分岐がその中に設けられた電流源の配列が規定されている。トランジスタ（７）が下流に接続された比較器（５）が、前記分岐の電圧取り出しノード（４）に接続されている。そのトランジスタ（７）は、共通の信号線（８）に接続されており、それは、順番に、ＤＣ電圧レギュレータ（１０）のフィードバック入力と接続されている。その配列は、共通の信号線（８）に付与されるさらなる分岐を任意の数に拡張し得る。提案された電流源の配列は、照明用途やディスプレイ用の複数のＬＥＤの配列セグメントへの供給に特に適している。【選択図】図１
2008547368.tif 000002
【特許請求の範囲】
【請求項１】
電流源（１）と、
前記電流源（１）と接続された電気負荷（３）の接続手段（２）と、
電気負荷の前記接続手段（２）と結合された電圧取り出しノード（４）と、
電圧取り出しノード（４）と接続された第１の入力を有し、参照しきい値（Ｖｃ）を引き込むようにセットされた第２の入力を有する比較器（５）と、
制御側で比較器（５）の出力と、負荷側で信号線（８）と接続されたトランジスタ（７）と、
入力電圧を引き込む入力（１１）を有し、電気負荷の接続手段（２）と接続された出力（２２）を有し、信号線（８）と接続されたフィードバック入力を有するＤＣ電圧レギュレータ（１０）と、
を備える、電流源の配列。
【請求項２】
少なくとも１つのさらなる電流源（２０）と、
少なくとも１つのさらなる電流源（２０）と接続された、少なくとも１つのさらなる電気負荷（１３）の接続手段と、
少なくとも１つのさらなる電気負荷（１３）の接続手段と結合された、少なくとも１つのさらなる電圧取り出しノード（１４）と、
少なくとも１つのさらなる電圧取り出しノード（１４）と接続された第１の入力を有し、少なくとも１つのさらなる参照しきい値を引き込むようにセットされた第２の入力を有する、少なくとも１つのさらなる比較器（１５）と、
制御側で、少なくとも１つのさらなる比較器（１５）の出力と、負荷側で信号線（８）と接続された、少なくとも１つのさらなるトランジスタ（１７）と、
をさらに備えることを特徴とする請求項１に記載の電流源の配列。
【請求項３】
前記参照しきい値と、前記さらなる参照しきい値とが、同一であることを特徴とする請求項２に記載の電流源の配列。
【請求項４】
前記電気負荷は、少なくとも１つの発光ダイオード（３０）を備えることを特徴とする、請求項１乃至３のいずれか一項に記載の電流源の配列。
【請求項５】
前記電気負荷は、複数の発光ダイオード（３０、３１）の直列回路を備えることを特徴とする請求項１乃至３のいずれか一項に記載の電流源の配列。
【請求項６】
それぞれに割り当てられた電流源とそれぞれに割り当てられた電気負荷の接続手段とに結合された少なくとも２つの電圧取り出しノードと、前記比較器（５６）の第１の入力との間に接続され、少なくとも２つの入力電圧のうちのより小さい方を通すように切り替える手段（５３）をさらに備えることを特徴とする請求項１乃至５のいずれか一項に記載の電流源の配列。
【請求項７】
各共通信号線（８，９）に、異なる種類の電気負荷（６２，６３）が与えられていることを特徴とする請求項１乃至６のいずれか一項に記載の電流源の配列。
【請求項８】
前記電流源は、電流源トランジスタ（３６）を備えることを特徴とする請求項１乃至７のいずれか一項に記載の電流源の配列。
【請求項９】
前記電圧取り出しノードが、電流源トランジスタ（３６）の制御端子に形成されており、前記電流源トランジスタ（３６）の制御パスが、電気負荷の接続手段（２）とともに共通の電流パスに形成されていることによって、前記電圧取り出しノードが、電気負荷の前記接続手段と結合されていることを特徴とする請求項８に記載の電流源の配列。
【請求項１０】
電気負荷の接続手段（２）と、基準電位端子に接続された抵抗器（３７）との間に、その制御パスで接続された電流源トランジスタ（３６）と、
その出力によって、前記電流源トランジスタ（３６）の制御入力と接続された差動増幅器（３８）と、を備え、
前記差動増幅器（２８）の第１の入力は、参照電圧を引き込むために設計され、
前記差動増幅器（２８）の第２の入力は、前記電流源トランジスタ（３６）の制御パスの基準電位側の端子と接続されていることを特徴とする請求項８又は９に記載の電流源の配列。
【請求項１１】
前記比較器（５）は、有限利得を有する増幅器（６４）を備えることを特徴とする請求項１乃至１０のいずれか一項に記載の電流源の配列。
【請求項１２】
前記比較器（５）は、電流ミラー（６５）と、前記増幅器（６４）の出力と接続された前記入力トランジスタと、前記電流ミラー（６５）の出力トランジスタのある前記負荷側の前記信号線と接続された前記電流源トランジスタと、を備えることを特徴とする請求項１１に記載の電流源の配列。
【請求項１３】
オペアンプの出力は、非対称な出力であり、電流ミラー（６９、７０、７１）が、前記非対称な出力とオペアンプの差動段（６４）とを接続するために設けられていることを特徴とする請求項１１又は１２に記載の電流源の配列。
【請求項１４】
電気負荷（３）は、該電気負荷の前記接続手段（２）に接続されていることを特徴とする請求項１乃至１３のいずれか一項に記載の電流源の配列。
【請求項１５】
前記電流源の配列が、半導体集積技術を用いてモノシリック集積されていることを特徴とする請求項１乃至１４のいずれか一項に記載の電流源の配列。
【請求項１６】
発光ダイオード（６２、６３）の前記電流源が、表示装置におけるマトリクス状に配列されている請求項１乃至１５のいずれか一項に記載の１又は複数の電流源の配列の使用。
【請求項１７】
前記表示装置における各色別の発光ダイオード（６２ｒ、６２ｂ、６２ｇ）の電流供給に用いられる請求項１乃至１５のいずれか一項に記載の少なくとも１つの電流源の配列の各々の使用。
【請求項１８】
電気負荷の作動方法であって、
電流源（１）によって前記電気負荷（３）に電源電流を供給し、
電気負荷（３）及び／又は電流源（１）を通って降下する電圧又はそれらから得られる電圧を取り出し、
このようにして測定された前記電圧を、参照しきい値（Ｖｃ）と比較し、
その比較に基づいて、トランジスタ（７）によって信号線（８）を駆動し、
入力電圧と、信号線（８）の信号とに基づいて、前記電気負荷（３）に供給電圧（ＶＤＤ）を供給することを特徴とする電気負荷の作動方法。
【請求項１９】
さらなる電流源（２０）によって、さらなる電気負荷（１３）にさらなる供給電流を供給し、
前記さらなる電気負荷（１３）及び／又は前記さらなる電流源（２０）を通じて降下する電圧又はそれらから得られる電圧を取り出し、
このようにして測定された前記電圧を、さらなる参照しきい値と比較し、
その比較に基づいて、さらなるトランジスタ（１７）によって、共通信号線として統合された１本の線（８）を駆動し、
前記入力電圧と前記共通信号線（８）の信号とに基づいて、前記電気負荷（３）と、前記さらなる電気負荷（１３）とに供給電圧（ＶＤＤ）を供給することを特徴とする請求項１８に記載の方法。
【発明の詳細な説明】
【技術分野】
【０００１】
本発明は、電流源の配列、その使用及び電気負荷の作動方法に関する。
【背景技術】
【０００２】
電流源の配列は、１又は複数の電気負荷に電力を供給するのに用いられる。この場合、例えば、各電流源と、それぞれに割り当てられた負荷とを備える複数の直列回路を提供することができる。このような方法で、平行に接続される分岐に共通の電源電圧が供給される場合には、その電源電圧は調整されるのが望ましい。この場合、例えば、それぞれの電流シンクを通って降下する電圧が測定され、電流シンク電圧の最低値はそれから定められる。この最低の電流シンク電圧は、設定値と比較され、電源電圧は、その比較結果によって変更される。これにより、電流シンクを通じて降下する最低電圧が、しきい値電圧に少なくとも一致するようになる。結果的に、すべての電流源が、所定の電圧範囲内で動作するようになる。
【発明の開示】
【発明が解決しようとする課題】
【０００３】
本発明の目的は、効率が良く、回路構成が簡単な電流源の配列及び電気負荷の作動方法を規定することである。
【課題を解決するための手段】
【０００４】
本発明によれば、その目的は、特許請求項１の特徴を有する電流源の配列を用いた装置によって実現される。その方法に関しては、その目的は、特許請求項１８の特徴を有する方法を用いて実現される。
【０００５】
それぞれの件の従属クレームは、提案された方式の有利な発展に関する。
【０００６】
提案された電流源の配列は、電流源を備えており、さらに、電気負荷の接続手段と接続されている。電流源と、電気負荷の接続手段とは、接続される電気負荷のケース内で共通電流パスを形成するように互いに接続されている。電圧取り出しノードが、電気負荷の接続手段と結合されている。前記ノードは、電気負荷及び／又は電流源を通じて降下する電圧、あるいは、そこから駆動された信号が、そのノードで取り出されるように設計されている。比較器は、取り出しノードと、その第１の入力で接続されている。その比較器の第２の入力は、参照しきい値を引き込むように設定されている。比較器の出力は、トランジスタの制御入力に接続されている。そのトランジスタは、信号線と、基準電位端子との間に接続される制御パスを有する。ＤＣ電圧レギュレータ、例えば、ＤＣ／ＤＣコンバータは、入力電圧を引き込んで入力するように設計されている。ＤＣ電圧レギュレータの出力は、電気負荷を接続する手段に接続されている。ＤＣ電圧レギュレータのフィードバック入力は、信号線に接続されている。
【０００７】
電流源を通じて降下する電圧が極めて低くなった場合には、信号線でも電圧が降下する。結果的に、ＤＣ電圧レギュレータのフィードバック入力も降下する。このため、ＤＣ電圧レギュレータは、再びフィードバック入力の正確なフィードバック電圧を得るために、その出力電圧を上昇させることによりこれを補償する。
【０００８】
１つの電流源と１つの電気負荷の接続手段とを備える、１つの分岐の代わりに、複数のこのような分岐が提供され得ることはいうまでもない。この場合、電気負荷と接続する手段と、指定された電流源とを備える各分岐には、好ましくは、下流にトランジスタが接続された各比較器が割り当てられている。ただし、信号線とＤＣ電圧レギュレータは、全ての分岐で共通である。
【０００９】
好ましくは、少なくとも１つのさらなる電流源と、少なくとも１つのさらなる電気負荷の接続手段とが提供され、前記手段は、前記少なくとも１つのさらなる電流源と接続される。少なくとも１つのさらなる電圧取り出しノードが、少なくとも１つのさらなる電気負荷の接続手段と結合される。少なくとも１つのさらなる電圧取り出しノードに接続された第１の入力を有し、少なくとも１つのさらなる参照しきい値の引き込み用にセットされる第２の入力を有する少なくとも１つのさらなる比較器が設けられている。そこに、負荷側の共通信号線と接続された、少なくとも１つのさらなるトランジスタが接続されている。
【００１０】
電流源のいずれかで電圧が過度に低くなれば、比較器とトランジスタを経由する共通の信号線の電圧も引き下げられるようになる。結果的に、ＤＣ電圧レギュレータのフォードバック電圧も引き下げられるようになるが、フィードバック入力が所望の設定値に再び一致するまで、ＤＣ電圧レギュレータが供給電圧の出力を上昇させることにより、その補償が行われる。
【００１１】
提案された方式は、高効率であることが特に明らかである。提案された回路は、簡単な方法、かつ、小構造な設計であると理解される。さらに、それは容易に拡張され、縦列に拡張され、ほぼ所望の構成とし得るということが明らかである。任意の所望の数の電流源が、付加的な電気回路を必要とすることなく、異なる半導体チップにまたがってでさえも、加えられ得る。１本の信号線、例えばここで信号線として参照される線だけが、複数の電流源の間で必要である。もし、各ケースにおいて、例えば、赤色、緑色及び青色（ＲＧＢ）発光ダイオード（ＬＥＤと短縮される）のような複数の異なるタイプの負荷を駆動しようとする場合には、電流源は、好ましくは、共通信号線が各負荷のタイプごとに設けられるように、グループごとに配列される。
【００１２】
参照しきい値は、同一であってもよく、異なっていても良い。
【００１３】
電気負荷は、それぞれ、少なくとも１つの発光ダイオード又は複数の発光ダイオードの直列回路と、を備えている。
【００１４】
別の方法では、それぞれ電流源と電気負荷の選択手段とを備える分岐が、各グループの取り出しノードと比較器との間で最小入力電圧を選択する手段を接続するような方法で、グループごとに結合されている。
【００１５】
異なるタイプの電気負荷を駆動しようとする場合、各共通信号線が、電気負荷のタイプごとに提供されうる。例えば、負荷のタイプを、異なる色を有する発光ダイオード、例えば赤色、緑色、青色発光ダイオードとすることができる。
【００１６】
電流源トランジスタの制御端子に形成された電流源トランジスタの制御パスが、電気負荷の接続手段を有する共通電流パス内に形成されるような方法で、電圧取り出しノードを電気負荷の接続手段と結合することができる。このようにすれば、より信頼性の高い信号取り出しが、トランジスタのパラメータの製造のばらつき現象の範囲内で保証されるようになるので、電流源と電気負荷との間の電圧の取り出しに有利となる。
【００１７】
比較器は、オペアンプを備えることができる。比較器と、下流に接続されたトランジスタとの結合は、好ましくは、以下のように設計されている。すなわち、比較器の入力で、異なるレベルの入力があった場合には、出力レベルは、極端な値に急激には切り替わらず入力の差分と比例する信号が、出力から得られるように設計されている。このことは、有限利得が提供されるのが望ましいことを意味する。前記利得を、ボルト・パー・アンペア（電圧入力対電流出力）で規定することができる。
【００１８】
ＤＣ電圧レギュレータは、好ましくは、いわゆるＤＣ／ＤＣコンバータを備える。後者は、好ましくは、いわゆる誘導バックコンバータ、ブーストコンバータ、バック／ブーストコンバータ、容量型チャージポンプ、ＬＤＯ（リニアコントローラ）などのようなものとして構成されている。
【００１９】
ローパスフィルタは、好ましくは、ＤＣ／ＤＣコンバータの調整回路を安定化させるために設けられている。
【００２０】
ＤＣ／ＤＣコンバータの出力電圧の最小及び最大のリミットは、分圧率によって正確に設定されうる。有利にも、ＤＣ／ＤＣコンバータの出力の電気負荷が故障しても、その供給電圧がこの出力電圧のために予め定められた限度の範囲内で常に維持されるようになる。
【００２１】
提案された方式は、好ましくは、一般的に、照明用途に適用される。特に、提案された方式は、液晶ディスプレイ、ＬＣＤのバックライトにも適用することができる。提案された方式は、好ましくは、複数のＬＥＤの直列回路又は連鎖を備える照明用途に提供され得る。
【００２２】
本発明は、図面を参照して、複数の典型的な実施形態を用いて、以下に詳細に説明される。
【発明を実施するための最良の形態】
【００２３】
図１は、提案された方式による電流源の配列を示す。電流源１は、共通の電流パスで、電気負荷３の接続手段２と接続されている。電圧の取り出しノード４が、電流源１と電気負荷３との間に形成されている。電圧の取り出しノード４は、比較器５の反転入力と接続されている。比較器５のもう１つの入力には、非反転な方法で生成され、参照しきい値Ｖｃが送り込まれるように設計された、参照しきい値引き込み端子６に供給されている。比較器５の出力は、割り当てられたトランジスタ７の制御入力に接続されている。トランジスタ７は、ＭＯＳＦＥＴであってもよいし、バイポーラトランジスタであってもよい。トランジスタ７の制御パスは、共通の信号線８と基準電位端子９との間に接続されている。信号線８は、それの駆動用のＤＣ電圧レギュレータ１０のフィードバック入力と接続されている。ＤＣ電圧レギュレータ１０は、入力電圧を引き込む入力１１と、その入力電圧と信号線８のレベルとに依存する電源電圧ＶＤＤを供給する出力１２とを有する。ＤＣ電圧レギュレータ１０の前記出力１２は、電気負荷３と接続する、さらなる接続端子２と接続されている。
【００２４】
電気負荷３及び電流源１を備える電流分岐と同様に、さらなる電流分岐のそれぞれにも、さらなる電気負荷１３、２３及びさらなる電流源２０、２１が設けられている。ここで、各ケースにおいて、１つの電気負荷３、１３、２３の端子は、ＤＣ電圧レギュレータの出力１２と接続されている。下流に接続されたトランジスタ７、１７、２７を有する比較器５、１５、２５は、各電圧の取り出しノード４、１４、２４経由で、電気負荷３、１３、２３及び電流源１、２０、２１を備える前記分岐のそれぞれに接続されている。前記トランジスタ７、１７、２７のそれぞれは、負荷の端子によって、フィードバック電圧ＵＶを伝送する共通の信号線８と接続されている。
【００２５】
共通信号線の信号ＵＶによって、電源電圧ＶＤＤが制御される。電流源１、２０、２１の１つの電圧（比較電位ＶC以下の電圧）が過度に低くなった場合には、信号線８の電圧ＵＶが幾分か低下する。結果的に、ＤＣ電圧レギュレータ１０のフィードバック入力の電圧もまた引き下げられる。この低下は、ＤＣ電圧レギュレータにより、出力１２の電圧ＶＤＤを上昇させることによって補償される。出力電圧ＶＤＤは、適切な電圧ＵＶがフィードバック入力として得られるまで上昇する。
【００２６】
ＤＣ電圧レギュレータ１０を、任意に調節可能なＤＣ／ＤＣコンバータとすることができる。これは、負荷３、１３、２３を効率よく駆動するために用いられる。例えば、電圧レギュレータ１０として、誘導バック、ブースト、バック／ブーストレギュレータ、容量型チャージポンプ、または、直流レギュレータなどを用いることができる。
【００２７】
図１による回路は、特に、必須の集積回路技術を用いることによって小領域化が実現され得る単純な回路構成を有する。その回路は、容易に拡張され、縦列につなげられ、分岐を付加して構成し得る。電流源は、所望の数だけ付加することができるが、付加的な電気回路は必要でない。図１による電気回路の有利な特別な特徴は、個々の電流源の分岐をお互いに結合するのに、例えば、共通の信号線８という１本の線だけがあればよいということである。
【００２８】
図２は、さらなる提案された方式による電流源の配列の他の実施形態を示す。この実施形態は、構成要素の観点からすると、図１による回路と概略同じであるが、それらの互いの相互接続に有利となっている。このため、この際、回路の説明を繰り返さない。図２の場合には、電気負荷３，１３、２３は、複数の発光ダイオード、ＬＥＤ３０、３１；３２、３３；３４，３５の直列回路として、それぞれ具体化されている。図２の場合には、電流源１、２０、２１は、各電流源トランジスタ３６として具体化されている。各電流源トランジスタ３６の制御パスが、各取り出しノード４、１４、２４と、基準電位に関して接続された各抵抗３７との間で接続されている。電流源トランジスタ３６の制御入力は、２つの入力を有する差動増幅器３８の出力に接続されている。１つの入力は、参照しきい値を引き込む端子として形成されており、さらに、他の入力は、抵抗３７と接続されたトランジスタ３６の負荷の端子と接続されている。図２の例によれば、ＤＣ電圧レギュレータ１０は、明確には示されていない。
【００２９】
従来の電流源と比較すると、図２による電流源３６、３７、３８は安定性及び適応性に関して特に有利である。
【００３０】
図３は、図１又は図２による回路に用いられるＤＣ／ＤＣコンバータの他の典型的な例を示す。実際のＤＣ／ＤＣコンバータ３９は、基準電位４１よりも低い入力電圧を引き込む入力４０を有する。電源電圧ＶＤＤは、出力４２に供給される。共通の信号線８は、ＤＣ／ＤＣコンバータのフィードバック入力４３には、直接には接続されていない。より正確にいえば、直列抵抗器４４と下流で接続された容量４５を備え、基準電位と接続されたローパスフィルタが設けられている。前記ローパスフィルタ４４、４５は、カップリング抵抗器４６を経て、実際のフィードバック入力４３に接続されている。さらに、分圧器４９が設けられており、それは、第１の抵抗器４７と第２の抵抗器４８とを備えている。第１の抵抗器４７は、出力４２とフィードバック入力４３との間に接続されている。第２の抵抗器４８は、フィードバック入力４３と、基準電位端子との間に接続されている。抵抗器４７、４８は、抵抗値Ｒ１、Ｒ２を有する。ローパスフィルタの抵抗器４４は、抵抗値Ｒ４を有する。ローパスフィルタの容量４５は、容量値Ｃ１を有する。カップリング抵抗器４６は、抵抗値Ｒ３を有する。
【００３１】
調整回路を安定化させるため、構成要素４４、４５を備えるローパスフィルタが用いられる。前記構成要素は、調整回路の転送機能の中で、支配極を形成する。出力４２の最小出力電圧ＶＤＤMINは、抵抗値Ｒ１、Ｒ２の割合によって設定される。出力４２の最大出力電圧ＶＤＤMAXは、抵抗値Ｒ１からＲ４によって設定される。Ｖｒｅｆは、ノード４３の電圧であり、ＤＣ／ＤＣコンバータは、これを一定に保っている。
【００３２】
この場合、以下の条件があてはまる。
【００３３】
【数１】
2008547368.tif 000003
【００３４】
したがって、図２の回路の場合、例えば、ＬＥＤの連鎖３０、３１；３２、３３；３４、３５の１つが故障した場合、それによってフィードバック電圧ＵＶが基準電位となったとしても、電源電圧ＶＤＤは、所定の制限ＶＤＤMINとＶＤＤMAXとの範囲内に維持される。
【００３５】
図４は、図２の回路の他の展開例を示す。これは、構成及び有利な配線という点からすると、それと概ね同じであり、このような観点において、この際説明を繰り返さない。図４の場合、それぞれ電流源、比較器及びトランジスタを備える電流分岐は、各ケース内に、例えば、２つ一組で、共通のモノシリックに集積されたチップ５０、５１、５２上に形成されている。図４による実装例によれば、異なるチップ上に個々の分岐が具現化されているにもかかわらず、それでもなお、共通の信号線８が提供され得ることが明らかとなる。この場合、付加的な回路は必要ではない。
【００３６】
図５は、図４の回路の展開例を示し、提案された方式は、最小電圧の選択方式と結合される。このため、各最小セレクタ回路５３、５４、５５が、各チップ５０’、５１’、５２’のそれぞれに設けられており、前記回路の入力は、各チップ上のすべての分岐の取り出しノードに接続されている。最小セレクタ回路５３、５４、５５の出力は、各チップ上で、共通の比較器５６、５７、５８と接続されており、その出力は、各チップ上で各共通トランジスタ５９、６０、６１を順番に駆動する。前記トランジスタ５９、６０、６１の負荷端子は、順番に、全てのチップ５０’、５１’、５２’で共通の信号線８と接続されている。その結果、柔軟性がさらに増す。最小電圧の選択に基づいて、チャンネルが、所望の提案された方式どおりに結合され得る。
【００３７】
図６は、一例を用いて図４の回路の他の展開例を示す。この例におけるチップ５０’’、５１’’、５２’’はそれぞれ３つの分岐を有しており、その分岐は、それぞれ、電流源と、比較器と、それに接続されたトランジスタとを有している。チップ５０’’から５２’’のそれぞれは、例えば、赤色発光ダイオード６２ｒ、青色発光ダイオード６２ｂ、緑色発光ダイオード６２ｇという異なるタイプの電気負荷を駆動するように設計されている。この場合、赤色発光ダイオード６２ｒを駆動するように設計されているそれらの分岐は、第１の共通の信号線８ｒに接続されており、さらに、青色発光ダイオード６２ｂを駆動するように設計されたそれらの分岐は、各ケースにおいて、異なるチップにわたって、第２の共通の信号線８ｂと接続されている。緑色発光ダイオードを駆動するように設計されたそれらの分岐は、第３の共通の信号線８ｇと接続されている。赤、青、緑色発光ダイオード６２ｒ、６２ｂ、６２ｇは、異なる電源電圧ＶＤＤＢ、ＶＤＤＲ、ＶＤＤＧの供給用にそれぞれに割り当てられた、タイプがそれぞれ異なる各供給電圧線と電源電圧側で接続されている。
【００３８】
このように、異なるタイプの電気負荷をグループで結合し、電気負荷の各タイプにつき各共通の信号線８ｒ、８ｂ、８ｇを有し、同様にグループ化された電流源によってそれらを駆動するようになるため、例えば、カラーディスプレイの駆動におけるＲＧＢの用途で有利となるようになる。
【００３９】
図７は、図１、図２、及び図４乃至図６に従う、下流にトランジスタ７が接続された比較器５の実施形態を示す。この比較器とトランジスタとの結合の代わりに、図８、図９又は図１０による配列も、例えば、図１、図２及び図４乃至図６のものと接続されうる。
【００４０】
図８によれば、比較器〜ＯＴＡ（操作可能な相互コンダクタンス増幅器）６４として形成され〜下流に電流ミラー６５が接続され、その出力トランジスタが図７のトランジスタ７と同じである比較器が、小さいチップ領域の要求によって特に区別される。この回路では、電圧が、負の入力６７が正の入力６８より小さくなったときだけ、シンク電流が、出力６６、換言すると共通信号線から出力される。このことが、調整方式の所望のふるまいを確実なものにする。
【００４１】
図９は、同様に、ＯＴＡ６４及び電流ミラー６５を有する、図８の回路の展開例を示す。ただし、後段で互いを結合させるために、付加的な電流ミラー６９、７０、７１が設けられており、これにより、ゲイン係数が改善したり、出力トランジスタ７２の駆動容量がより良好なものとなったりする。そのゲインを増加させるため、トランジスタ６５を、任意に取り除くことができる。これは、図８による実施形態でも同様である。
【００４２】
電気負荷３と電流源１との間の取り出しノード４の具体例の代わりに、例えば、電圧の取り出しが、図１及び図２に示されるような電流源トランジスタ３６の負荷端子からではなく、電流源トランジスタ３６の制御入力からなされるようにしてもよい。
【００４３】
それゆえ、図１０による回路は、図２及び図４から図６による電流源の実施形態にも代替可能である。取り出しノードとしての電流源トランジスタのゲートでの電圧のサンプリングは、前記トランジスタのゲート電圧が監視される点、そのゲート電圧が、所定の制限範囲内、すなわち比較器５の入力で参照電圧Ｖｇによって制限される範囲内となる点で有利である。
【００４４】
また、このことは、電流源トランジスタの製造の変形例に関して特に有利である。ここで、比較器５の入力が交換される必要があるということが考慮されるべきである。図７乃至図１０によって示されるようなすべての回路の配列が、電界効果トランジスタ技術、例えば、ＭＯＳＦＥＴを用いることによって、又は代替的にバイポーラトランジスタを用いることによって具現化され得る。
【００４５】
提案された方式は、ＲＧＢや単色のＬＥＤ駆動の配列に特に有利である。例示すると、その方式は、以下の分野のエリアで用いられ得る。すなわち、一般的な照明、液晶ディスプレイのバックライト、ＬＣＤ−ＲＧＢスクリーン、及び、各々が発光ダイオードの直列回路を備える複数の配列セグメントが組み込まれた任意の所望の照明分野で用いられ得る。
【図面の簡単な説明】
【００４６】
【図１】回路図に基づく、提案された方式による電流源の配列の典型的な実施形態を示す図である。
【図２】回路図に基づく、提案された方式による電流源の配列のさらなる典型的な実施形態を示す図である。
【図３】提案された方式によるＤＣ電圧レギュレータを有する配列の典型的な実施形態を示す図である。
【図４】提案された方式による電流源の配列のさらなる典型的な実施形態を示す図である。
【図５】提案された方式による電流源の配列の他の典型的な実施形態を示す図である。
【図６】異なる負荷のタイプを有する、提案された方式による電流源の配列の典型的な実施形態を示す図である。
【図７】比較器−トランジスタ配列の第１の典型的な実施形態を示す図である。
【図８】比較器−トランジスタ配列の他の典型的な実施形態を示す図である。
【図９】図１、図２、図４乃至図６による回路に用いられる比較器−トランジスタ配列のさらなる他の典型的な実施形態を示す図である。
【図１０】提案された方式による、電流源トランジスタの制御入力に形成された電圧の取り出しノードの典型的な実施形態を示す図である。
【符号の説明】
【００４７】
１  電流源
２  接続端子（電気負荷接続手段）
３  電気負荷
４  取り出しノード
５  比較器
６  参照しきい値引き込み端子
７  トランジスタ
８  信号線
８ｒ、８ｂ、８ｇ  信号線
９  基準電位端子
１０  ＤＣ電圧レギュレータ
１１  入力
１２  出力
１３  電気負荷
１４  取り出しノード
１５  比較器
１６  参照しきい値引き込み端子
１７  トランジスタ
２０、２１  電流源
２２  電気負荷の接続手段
２３  電気負荷
２４  取り出しノード
２５  比較器
２６  参照しきい値引き込み端子
２７  トランジスタ
３０、３１、３２、３３、３４、３５  ダイオード
３６  電流源トランジスタ
３７  抵抗器
３８  差動増幅器
３９  ＤＣ電圧レギュレータ
４０  入力
４１  基準電位端子
４２  出力
４３  入力
４４  抵抗器
４５  容量
４６、４７、４８  抵抗器
４９  分圧器
５０、５１、５２  チップ
５３、５４、５５  最小セレクタ回路（ブロック）
５６、５７、５８  比較器
５９、６０、６１  トランジスタ
６２ｒ  赤ＬＥＤ
６２ｂ  青ＬＥＤ
６２ｇ  緑ＬＥＤ
６４  ＯＴＡ
６５  電流ミラー
６６  出力
６７、６８  入力
６９、７０、７１  電流ミラー
７２  トランジスタ
【図１】
2008547368.tif 000004
【図２】
2008547368.tif 000005
【図３】
2008547368.tif 000006
【図４】
2008547368.tif 000007
【図５】
2008547368.tif 000008
【図６】
2008547368.tif 000009
【図７】
2008547368.tif 000010
【図８】
2008547368.tif 000011
【図９】
2008547368.tif 000012
【図１０】
2008547368.tif 000013
【国際調査報告】
2008547368.tif 000014
2008547368.tif 000015
2008547368.tif 000016
2008547368.tif 000017